(57)【特許請求の範囲】
【請求項１】
ユニット本体にシャッタを含む撮影機構が組み込まれ、前記ユニット本体内には、写真フィルムの一端を係止した回転自在なスプール軸を有するパトローネを収納するためのパトローネ収納室と、前記パトローネから引き出して形成した未露光写真フィルムのロールを収納するためのフィルムロール収納室とが形成され、製造時にパトローネと該パトローネから引き出された未露光写真フィルムのロールがそれぞれ前記パトローネ収納室と前記フィルムロール収納室に予め装填されており、撮影ごとに前記スプール軸を回転させて露光済みの写真フィルムをパトローネに巻き込むようにしたレンズ付きフィルムユニットであって、
前記ユニット本体に対して固定関係に配置されたレンズ保持筒と、
撮影レンズが固定されており、前記レンズ保持筒内に回転及び光軸方向の移動が可能なように配置されたレンズ枠と、
前記レンズ保持筒と前記レンズ枠との間に設けられたカム機構と、
予め定められた通常撮影位置と近接撮影位置の間を移動可能なようにカメラ本体に配置され、移動することによって前記レンズ枠を回転させ、前記カム機構の作用により該レンズ枠に光軸方向の移動を生じさせる切換部材と、
撮影視野ファインダーと、
が設けられ、
前記切換部材には、ハーフミラーを備えた近接撮影視野枠が一体に形成され、該切換部材が近接撮影のためのピント設定位置にあるとき前記近接撮影視野枠が前記撮影視野ファインダーに重なり、近接撮影以外のピント設定位置では該近接撮影視野枠の少なくとも一部が前記切換部材の前面に設けられた外カバーにより覆われるようにされた、
ことを特徴とするレンズ付きフィルムユニット。
【請求項２】
請求項１に記載したレンズ付きフィルムユニットであって、
前記外カバーには、前記切換部材が近接撮影以外のピント設定位置にあるとき前記ハーフミラ−の一部を正面に露出させる開口が形成されたことを特徴とするレンズ付きフィルムユニット。
【請求項３】
請求項２に記載したレンズ付きフィルムユニットであって、前記外カバーの前記開口には、前記切換部材が近接撮影以外のピント設定位置にあることを示す表示が形成され、この表示は、前記切換部材が近接撮影のためのピント設定位置にあって前記ハーフミラーが前記外カバーの前記開口に対応する位置にないときは裏面からの反射がすくないため見え難く、前記切換部材が近接撮影以外のピント設定位置にあって前記ハーフミラーが前記外カバーの前記開口に対応する位置にあるときは前記ハーフミラーの裏面からの反射により見やすくなることを特徴とするレンズ付きフィルムユニット。
【請求項４】
請求項１から請求項３までのいずれか１項に記載したレンズ付きフィルムユニットであって、該ユニットはストロボ発光部を有するストロボ装置を備え、前記切換部材には、その近接撮影位置において前記ストロボ発光部の少なくとも一部を覆って、前記ストロボ装置から射出されるストロボ光の光量を制限する光量制限部が設けられたことを特徴とするレンズ付きフィルムユニット。
【発明の詳細な説明】
【０００１】
【発明の属する技術分野】
本発明は、レンズ付きフィルムユニットや写真撮影用カメラのような写真撮影装置に関する。特に本発明は、撮影時に撮影者が撮影レンズを２又はそれ以上の焦点設定位置に選択的に設定できるようにするための撮影レンズのピント設定位置切換機構を備えた写真撮影装置に関する。もっと詳細に述べると、本発明は、例えばレンズ付きフィルムユニットや簡易カメラのような、簡易構造で、しかも撮影機能を持った製品に適用するのに適したファインダー機構に関する。
【０００２】
【従来の技術】
撮影レンズ及びシャッタを含む撮影機構が組み込まれ、製造の時点で予め未露光フィルムのロールがユニット本体内に装填されたレンズ付きフィルムユニットは、例えば、実用新案登録掲載公報第2,564,847 号公報に記載されている。このレンズ付きフィルムユニットは、撮影の度ごとに露光済みのフィルムがパトローネ内に巻き込まれていくように構成されており、ユーザは、ユニットを購入して撮影し、撮影終了後にそのままの状態で現像所に現像依頼をすればよく、簡便な撮影機能製品として広く市場に受け入れられている。
【０００３】
このレンズ付きフィルムユニットには、構造を簡単にし、製造価格を低く抑制できるようにするために、通常は、撮影レンズとして単玉又は２枚構成レンズが使用される。この撮影レンズは、ユニット本体に固定されて、特定の一点のみにピント合わせされた状態にある。したがって、ピント合わせされた距離にない被写体に対しては、撮影レンズの被写界深度を深くすることによっていわゆるピンぼけ状態を避けるようにする。しかし、最近では、レンズ付きフィルムユニットも、画面サイズや撮影レンズの焦点距離などについて、色々な種類のものが開発されており、多用な機能の製品が求められる状況にある。
【０００４】
このように多様化したレンズ付きフィルムユニットにおいては、使用される撮影レンズが長焦点距離のものである場合には、レンズのピント位置を製造時に正確に設定することが求められるようになっており、そのために、レンズの位置設定機構として種々の工夫をすることが必要になる。例えば、特開平7-261069号公報においては、望遠レンズを備えたレンズ付きフィルムユニットの製造段階で撮影レンズのピントを精密に設定し、その設定位置に該レンズを固定保持する機構が開示されている。しかし、このようなピント位置設定機構を備えたレンズ付きフィルムユニットにおいても、ピント位置設定後は、撮影レンズはその設定位置に固定されるため、複数のピント設定位置に撮影レンズを移動させることはできない。このような状況を考慮して、レンズ付きフィルムユニットその他の簡易カメラにおいて、例えば単玉又は２枚構成レンズのような単純な構成の撮影レンズを使用しながら、しかも、接近撮影や標準撮影、遠景撮影などの複数の異なる状況における撮影に適応でき、それぞれの場合において適切にピントが合った写真撮影を行うことができるような構造が望まれる。また、焦点距離が短い撮影レンズを使用して、被写体からの距離が例えば６０ｃｍ以内といった極めて接近した距離での近接撮影ができるように構成し、近接撮影時には正面側から撮影視野を確認して撮影者が自分自身を視野内に含めた構図で写真撮影ができるようにする反射型ファインダーを前面に出し入れ可能に設けたレンズ付きフィルムユニットも、特開平10-200834号公報により提案されている。しかし、この公開公報に開示されたレンズ付きフィルムユニットは、複数のピント設定位置を持つものではないため、接近撮影や標準撮影、遠景撮影などの複数の異なる状況における撮影に適応できるものではない。
【０００５】
【発明が解決しようとする課題】
本発明は、接近撮影や標準撮影、遠景撮影などの複数の異なる状況における撮影に適応でき、しかも近接撮影時には、正面側から撮影視野を確認して撮影者が自分自身を視野内に含めた写真撮影ができるようにするファインダーを備えたレンズ付きフィルムユニットその他の簡易カメラのような写真撮影装置を提供することを課題とする。
【０００６】
【課題を解決するための手段】
上記課題を解決するため、本発明によるレンズ付きフィルムユニットは、ユニット本体にシャッタを含む撮影機構が組み込まれ、該ユニット本体内には、写真フィルムの一端を係止した回転自在なスプール軸を有するパトローネを収納するためのパトローネ収納室と、パトローネから引き出した未露光写真フィルムのロールを収納するためのフィルムロール収納室とが形成され、製造時にパトローネと該パトローネから引き出された未露光写真フィルムのロールがそれぞれパトローネ収納室とフィルムロール収納室に予め装填されており、撮影ごとにスプール軸を回転させて露光済みの写真フィルムをパトローネに巻き込むようにした形式のものであり、撮影レンズのピント設定位置を、予め定められた通常撮影位置と近接撮影位置の間で切り換える切換部材が設けられる。別の構成としては、レンズ付きフィルムユニットは、ユニット本体に対して固定関係にレンズ保持筒と、撮影レンズが固定されておりレンズ保持筒内に回転及び光軸方向の移動が可能なように配置されたレンズ枠と、レンズ保持筒とレンズ枠との間に設けられたカム機構と、予め定められた通常撮影位置と近接撮影位置の間を移動可能なようにカメラ本体に配置され、移動することによってレンズ枠を回転させ、カム機構の作用により該レンズ枠に光軸方向の移動を生じさせる切換部材とを備えるものとすることができる。本発明の特徴によれば、さらに、前記切換部材には、ハーフミラーを備えた近接撮影視野枠が一体に形成され、該切換部材が近接撮影のためのピント設定位置にあるとき前記近接撮影視野枠が前記撮影視野ファインダーに重なり、近接撮影以外のピント設定位置では該近接撮影視野枠の少なくとも一部が前記切換部材の前面に設けられた外カバーにより覆われるようにされる。
【０００７】
本発明によるこのレンズ付きフィルムユニットにおいては、切換部材を操作することにより、撮影レンズのピント位置を、例えば４ｍ位置と６０ｃｍ位置の２つの位置に任意に切り換えることができる。また、別の形態としては、例えば、無限遠ピント位置と４ｍピント位置と６０ｃｍピント位置の３点に、任意選択的に設定できるようになる。そして、近接撮影位置である６０ｃｍピント位置では、ユニットの正面からハーフミラーにより撮影視野を確認して、撮影者自身を撮影範囲に含む撮影が可能になる。また、ハーフミラーがファインダー枠内に重ねて置かれるため、該ファインダー枠を通して近接撮影をすることも可能である。この本発明の特徴は、レンズ付きフィルムユニットだけでなく、使用者がフィルムを装填して撮影を行う形式の通常のカメラにも適用できる。
【０００８】
本発明の一態様においては、外カバーには、切換部材が近接撮影以外のピント設定位置にあるときハーフミラ−の一部を正面に露出させる開口が形成される。この場合、外カバーの開口には、切換部材が近接撮影以外のピント設定位置にあることを示す表示を形成することもできる。この表示は、切換部材が近接撮影のためのピント設定位置にあってハーフミラーが外カバーの開口に対応する位置にないときは裏面からの反射が少ないため見え難く、切換部材が近接撮影以外のピント設定位置にあってハーフミラーが外カバーの開口に対応する位置にあるときは該ハーフミラーの裏面からの反射により見やすくなる。したがって、撮影者は、ピント設定が近接撮影位置かそれ以外かを正面から確認することができ、近接撮影のピント設定にないときに、撮影者が正面から自分を被写体の一部に入れて撮影をし、ピンぼけ写真となる誤操作を避けることができる。本発明においては、レンズ付きフィルムユニット又は写真撮影用カメラにストロボ発光部を有するストロボ装置を設け、切換部材には、その近接撮影位置においてストロボ発光部の少なくとも一部を覆って、ストロボ装置から射出されるストロボ光の光量を制限する光量制限部を設け、近接撮影時の露出過剰を避けることができる。
【０００９】
【発明の実施の形態】
図１は、本発明を実施したレンズ付きフィルムユニット１の一例を示す分解斜視図である。レンズ付きフィルムユニット１は、本体部３ａと前カバー３ｂと裏蓋３ｃとからなるユニット本体３を備える。図２に示すように、本体部３ａと裏蓋３ｃの間には、両端部にそれぞれパトローネ収納室５とフィルムロール収納室７が形成される。本体部３ａには、中央部に露光開口９が形成されている。レンズ付きフィルムユニット１の製造段階において、パトローネ１１入りの写真フィルムが用意され、パトローネ１１から未露光のフィルム１１ａが引き出されてフィルムロール１１ｂが形成される。未露光フィルム１１ａのパトローネ側の端は、該パトローネ１１内に回転自在に配置されたスプール軸１１ｃに固定される。
【００１０】
パトローネ１１はパトローネ収納室５内に収納され、フィルムロール１１ｂはフィルムロール収納室７に収納される。その後で、裏蓋３ｃが本体部３ａの裏側に取り付けられ、光密に固定される。別の実施形態としては、フィルムロール室７に巻き取り軸（図示せず）を設け、フィルムパトローネ１１をパトローネ室５内に装填した後、フィルム１１ａのリーダー部を該巻き取り軸に取り付けて裏蓋３ｃを閉じ、ユニット本体３の組立後に巻き取り軸を駆動回転させて、フィルムパトローネ１１から未露光フィルム１１ａを引き出し、巻き取り軸にロール状に巻き取るようにしてもよい。裏蓋３ｃの内面には、露光開口９の後側に対応する位置にフィルム受け部３ｄが設けられ、パトローネ１１とフィルムロール１１ｂの中間位置にある未露光フィルム１１ａは、本体部３ａの裏側に形成されたフィルム支持部３ｅとこのフィルム受け部３ｄの間で保持される。
【００１１】
本体部３ａの前面には、レンズ保持筒１３ａを有するレンズホルダー１３が固定される。レンズ保持筒１３ａは、本体部３ａに形成した露光開口９と同軸に配置される。レンズホルダー１３と本体部３ａの間には、シャッタ機構を構成するセクター羽根１５が配置される。このセクター羽根１５を含むシャッタ機構は、フィルム１１ａの巻き上げ操作によりチャージされ、ユニット本体３の上面に設けられるシャッタレリーズボタンを押すことでレリーズされる。このシャッタ機構及びその作動機構はレンズ付きフィルムユニットの分野で周知であるので、詳細な説明は省略する。パトローネ１１へのフィルムの巻き上げのために、本体部３ａの上面には、パトローネ収納室５の上方位置にフィルム巻き上げノブ１１ｄが回転自在に設けられ、このフィルム巻き上げノブ１１ｄがパトローネ１１のスプール軸１１ｃに結合される。
【００１２】
レンズ保持筒１３ａは円筒形であり、レンズホルダー１３と一体にプラスチック材料により成型される。レンズ保持筒１３ａ内には、レンズ保持枠１７が回転及び軸方向移動自在に配置される。レンズ保持枠１７には、撮影レンズ１９が固定される。このレンズ１９は、単玉又は２枚構成の固定焦点距離レンズである。レンズ保持枠１７内には、レンズ１９より後側に、固定第１絞り２１が設けられる。本例では、撮影レンズ１９は焦点距離が１３５mmフィルム換算で３０mm程度の標準レンズであり、固定絞り２１は、標準撮影用のＦ１０程度の絞り値を有する。
【００１３】
図示した実施態様のレンズ付きフィルムユニット１は、ストロボ装置を内蔵する形式である。ストロボ装置２３は、ストロボ発光部２３ａと該ストロボ発光部２３ａの発光を制御する制御回路を備えたプリント基板２３ｂと充電用コンデンサ２３ｃを備える。ストロボ発光部２３ａと充電用コンデンサ２３ｃは、プリント基板２３ｂ上に支持される。本体部３ａには、露光開口９の上方にファインダー用対物レンズ２５が嵌め込まれたファインダー窓２７が形成されており、前側から本体部３ａを見たときストロボ発光部２３ａがファインダー窓２７より右側に位置するような関係で、プリント基板２３ｂが本体部３ａに固定される。
【００１４】
ストロボ装置２３のプリント基板２３ｂの前方には、ストロボ充電用スイッチ板２９が配置される。スイッチ板２９は、受け板２９ｂを介してプリント基板２３ｂに配置される。スイッチ板２９は、上下方向に摺動的に動くことができ、充電スイッチつまみ２９ａが一体に設けられ、このスイッチつまみ２９ａを充電位置に置くことによってストロボ装置２３のコンデンサ２３ｃが充電される。コンデンサ充電用の電池３０は、レンズ付きフィルムユニットの技術分野で周知のように、図３に示すユニット本体３の下部に収納される。
【００１５】
本体部３ａの前面には、前カバー３ｂが取り付けられる。前カバー３ｂは、本体部３ａの前面のほぼ全体を覆うように形成されており、本体部３ａのファインダ−窓２７に重なるファインダー窓２７ａと、ストロボ発光部２３ａを前面に露出させるためのストロボ窓２３ｄと、スイッチ板２９上のスイッチつまみ２９ａをそのストローク範囲でユニット本体３の前面に露出させるためのストロボスイッチ開口２９ｃと、レンズホルダー１３のレンズ保持筒１３ａを通すためのレンズ開口１３ｂとを有する。図２及び図３に示すように、レンズ保持筒１３ａは、前カバー３ｂのレンズ開口１３ｂを通って前方に延びる。
【００１６】
前カバー３ｂの前面には外カバー３１が取り付けられる。外カバー３１には、前カバー３ｂのファインダー窓２７ａと重なる位置にファインダー窓２７ｂが形成されている。また、撮影光を通すためのレンズ開口１３ｃを有する。外カバー３１と前カバー３ｂの間に横方向に移動可能な切換枠部材３３が配置される。
【００１７】
図４及び図５に、本発明を実施した撮影レンズ１９のピント設定位置切換機構の詳細を示す。レンズホルダー１３から前方に延びるレンズ保持筒１３ａは、前面側に向いたカム面３５を有する。図示した実施形態では、このカム面３５は、レンズ１９の引っ込み位置を定める第１面３５ａと、レンズ１９の突出位置を定める第２面３５ｂ、及び第１面３５ａと第２面３５ｂの間を結ぶ斜面３５ｃとから構成される。カム面３５の前方には、該カム面３５から所定の間隔をおいて押さえ部３７が形成されている。したがって、カム面３５と押さえ部３７との間にはカム溝３９が形成される。カム溝３９は、レンズ保持筒１３ａの周方向に複数個所（例えば等間隔に３個所）形成される。一つのカム溝３９を形成している押さえ部３７の周方向の一端と、これに隣接するカム溝３９を形成する押さえ部３７の周方向の隣接端との間には、所定幅の光軸方向の溝４１が形成される。
【００１８】
レンズ枠１７には、複数本（例えば、周方向に等間隔に３本）のカム従動ピン１７ａが半径方向外向きに突出するように設けられる。このカム従動ピン１７ａは、溝４１からカム溝３９に挿入される。レンズ保持筒１３ａの押さえ部３７は弾性を有し、カム従動ピン１７ａを弾性的にカム面３５に押し付ける。図４に、カム従動ピン１７ａがカム溝３９に係合する状態を示す。
【００１９】
図４に示すように、切換部材３３は、中央に横長の開口３３ａを有する枠部材として構成される。切換部材３３は、レンズ保持筒１３ａが開口３３ａ内に挿入される状態で、該外カバー３１と前カバー３ｂの間に配置される。切換部材３３は、その後方に突出する一対のレンズ駆動ピン３３ｂを有し、このレンズ駆動ピン３３ｂの間にレンズ枠１７上のカム従動ピン１７ａが挟まれる。切換部材３３の下部には切換つまみ３３ｃが形成されており、この切換つまみ３３ｃが図８に示すように外カバー３１に形成したスリット３１ａから前方に突出する。したがって、この切換つまみ３３ｃを操作することによって切換部材３３を横方向に移動させることができる。切換部材３３が横方向に移動すると、該切換部材３３上のレンズ駆動ピン３３ｂがレンズ枠１３ａ上のカム従動ピン１７ａに係合してレンズ枠１３ａを回転させる。このレンズ枠１３ａの回転により、カム従動ピン１７ａがカム面３５上を摺動してカム作用を受け、レンズ枠１３ａが光軸方向に移動する。
【００２０】
切換部材３３が被写体に向かって右側の位置に設定されると、カム従動ピン１７ａがカム面３５の第１面３５ａに係合するようになり、カム従動ピン１７ａがこの位置にあるときには、レンズ枠１３ａ及び撮影レンズ１９が後方位置に置かれ、撮影レンズ１９は、遠距離、例えば４ｍの距離にピント設定がされた通常撮影のためのピント位置にある。逆に、切換部材３３が被写体に向かって左側の位置に設定され、カム従動ピン１７ａがカム面３５の第２面３５ｂ上にあるときには、レンズ枠１３ａ及び撮影レンズ１９が前方位置に前進させられ、近距離、例えば６０ｃｍの距離にピント設定された近接撮影のためのピント位置になる。
図４に示すように、被写体に向かって切換部材３３の右側には、開口３３ａ内に横向きに延びるように絞りアーム３３ｄが形成され、この絞りアーム３３ｄの先端に第２絞り３３ｅが形成されている。第２絞り３３ｅは、レンズ枠１７に設けられる第１絞り２１より小さい絞り開口を有する。切換部材３３が被写体に向かって右方向に動かされ、撮影レンズ１９が前方に繰り出されるとき、切換部材３３の絞りアーム３３ｄがレンズ保持筒１３ａに形成されたカム溝３９を通って撮影レンズ１９の後方位置に挿入される。このとき、絞りアーム３３ｄの先端の第２絞り３３ｅが撮影レンズ１９の光軸上に位置する。このため、撮影用絞り開口は、第１絞りによるものよりも小さくなり、被写界深度が深くなる。その結果、接近撮影の場合のピントの合う範囲が拡がる。
【００２１】
本発明の図示した実施形態では、図１及び図４に示すように、切換部材３３の上部にファインダー枠４３が一体に形成されている。ファインダー枠４３は、横方向のほぼ中央部に、切換部材３３が被写体に向かって右側位置にある通常撮影状態でユニット本体３の本体部３ａのファインダー窓２７に重なる位置にくる開口４３ａを有する。被写体に向かって開口４３ａの右側には、近接撮影時の撮影視野枠となる近接視野枠４３ｂが形成されている。開口４３ａを挟んで近接視野枠４３ｂの反対側は光量制限部４３ｃであり、この光量制限部４３ｃには、図１及び図４に示すように多数の小孔４３ｄが形成されている。この近接視野枠は、近接撮影時のファインダー視野と撮影レンズの視差を補正する視野枠となっている。図６は、切換部材３３の上部に形成されるファインダー枠４３の詳細を示すもので、近接視野枠４３ｂにハーフミラー４３ｄが嵌め込まれる。このファインダー枠４３は、切換部材３３の横方向移動に伴って、ユニット本体３の前カバー３ｂと外カバー３１の間を前カバー３ｂの前面に沿って横方向に移動する。
【００２２】
図７は切換部材３３が通常撮影位置にあるときのファインダー枠４３の配置を示す水平断面図であり、図８はその正面図である。ファインダー枠４３の開口４３ａが前カバー３ｂのファインダー窓２７ａと外カバー３１のファインダー窓２７ｂに重なっており、撮影者は、ファインダー窓２７に固定したファインダー用対物レンズ２５を通して被写体を見て撮影の構図を定める。このときは、ファインダー枠４３の光量制限部４３ｃはストロボ発光部２３ａとファインダー窓２７の間にあり、ストロボ発光部２３ａは、全体が前面に露出された状態にある。また、ファインダー枠４３の近接視野枠４３ｂは、反射ミラー３２に重なる位置にある。したがって、撮影者がレンズ付きフィルムユニットの前側で自分を撮影範囲に入れた撮影を試みると、図８に示されるように、近接撮影視野枠４３ｂ上のハーフミラー４３ｄは外カバー３１により隠されているので、撮影レンズ１９のピント設定位置が通常撮影状態にあり、意図する近接撮影に適さないことを知ることができる。
【００２３】
ここで、切換部材３３を被写体に向かって左側方向に動かすと、前述したように撮影レンズ１９が前方に繰り出されて近接撮影状態となり、同時に、ファインダー枠４３が同方向に移動し、図９に示す状態になる。この位置では、近接視野枠４３ｂとハーフミラー４３ｄがファインダー窓２７ｂ内にあり、撮影者は、ユニットの後側からこの近接視野枠４３ｂとハーフミラー４３ｄを介して近接撮影時の撮影範囲を確認することができる。また、撮影者が自分を撮影範囲に入れて撮影しようとする場合には、レンズ付きフィルムユニット１の前面からハーフミラー４３ｄにより撮影範囲を確認することができる。さらに、この近接撮影位置では、ファインダー枠４３に形成された光量制限部４３ｃが前カバー３ｂのストロボ窓２３ｄの前面にあり、ストロボ発光部２３ａを覆うので、ストロボ装置からの光は光量制限部４３ｃの小孔を通ってしか前方に射出されず、ストロボ光の光量が制限される。したがって、この構成により、近接撮影時の露出過剰状態を回避できる。
【００２４】
図１０に、本発明の他の実施形態を示す。この構造では、前カバー３１の上部に、ファインダー窓２７ｂに並んで小さな開口５３が形成されている。この開口５３は、切換部材３３が被写体に向かって左方向に移動して通常撮影のピント設定状態にあるとき、ハーフミラー４３ｄに重なる位置にある。開口５３には透明シートが貼られており、この透明シートに例えば「標準」といったピント設定状態を表示する文字が記載されている。この文字は、切換部材３３が近接撮影のピント設定位置にあって、ハーフミラー４３ｄが開口に重なる位置にないときは、背景が暗いため見難い状態にある。しかし、切換部材３３が通常撮影のピント設定位置に動かされると、このピント設定状態では、ハーフミラー４３ｄが外カバー３１の開口５３に重なる位置にくるので、ハーフミラー４３ｄの反射により、開口５３に貼ったシートの背景が明るくなり、シートの文字をユニットの正面から認識できるようになる。したがって、撮影者は、ユニットの正面からピント設定状態が通常撮影状態であることを知ることができる。
【００２５】
以上は、製造段階で予め未露光フィルムがユニット内に装填された形式のレンズ付きフィルムユニットに本発明のファインダー装置を実施した実施の形態についての説明であるが、本発明は、このようなレンズ付きフィルムユニットへの適用に限らず、使用者がフィルムを装填する形式の写真カメラにも同様に適用できる。
【００２６】
以上の説明から明らかなように、本発明によれば、近接撮影に適したピント設定位置を含む複数のピント設定位置をもち、撮影者が前面に位置して自分を被写体の一部として撮影を行うことを可能にする写真撮影装置のためのファインダー装置をえることができる。本発明によれば、装置の前面から撮影者自身を被写体の一部として撮影を行う場合に、ピント設定がその撮影に適していないときは、その旨を装置前面から知ることができるので、ピンぼけ状態の写真が撮影される可能性を減らすことが可能になる。
【図面の簡単な説明】
【図１】  本発明を実施したレンズ付きフィルムユニットの全体を示す分解斜視図である。
【図２】  図１に示すレンズ付きフィルムユニットの水平断面図である。
【図３】  図１に示すレンズ付きフィルムユニットの垂直断面図である。
【図４】  本発明の一実施形態における撮影レンズのピント設定位置切換機構における切換部材の配置を示す分解斜視図である。
【図５】  本発明の一実施形態における撮影レンズのピント設定位置切換機構を示す分解斜視図である。
【図６】  図４に示す本発明の実施形態における撮影レンズのピント設定位置切換機構における切換部材の詳細を示す斜視図である。
【図７】  本発明の一実施形態におけるファインダー機構を示す水平断面図である。
【図８】  図１に示すレンズ付きフィルムユニットの通常撮影状態における正面図である。
【図９】  近接撮影状態における図８と同様な正面図である。
【図１０】本発明の他の実施形態を示す正面図である。
【符号の説明】
３・・・ユニット本体、３ａ・・・本体部、３ｂ・・・前カバー、
３ｃ・・・裏蓋、５・・・パトローネ室、７・・・フィルムロール室、
９・・・露光開口、１１・・・フィルムパトローネ、
１３・・・レンズホルダー、１３ａ・・・レンズ保持筒、
１７・・・レンズ枠、１９・・・撮影レンズ、２１・・・第１絞り、
２５・・・ファインダー対物レンズ、３２・・・反射ミラー、
３３・・・切換部材、３３ａ・・・開口、３３ｂ・・・レンズ駆動ピン、
３３ｅ・・・第２絞り、３５・・・カム面、３９・・・カム溝、
４３ｂ・・・近接視野枠、４３ｃ・・・光量制限部、
４３ｄ・・・ハーフミラー、
【図１】
0003893796.tif 000002
【図２】
0003893796.tif 000003
【図３】
0003893796.tif 000004
【図４】
0003893796.tif 000005
【図５】
0003893796.tif 000006
【図６】
0003893796.tif 000007
【図７】
0003893796.tif 000008
【図８】
0003893796.tif 000009
【図９】
0003893796.tif 000010
【図１０】
0003893796.tif 000011